(57)【特許請求の範囲】
【請求項１】
乾燥処理空間に向かって空気流を吹き出す噴出口と、前記噴出口と正対しない位置に固定されて、前記噴出口から吹き出された空気流の向きを変更する風向変更部とを備え、前記乾燥処理空間は少なくとも前方に開口し、前記風向変更部は前記噴出口より後方に位置していることを特徴とするハンドドライヤー。
【請求項２】
乾燥処理空間に向かって空気流を吹き出す噴出口と、前記噴出口の吹き出し方向の延長上ではない位置に固定されて、前記噴出口から吹き出された空気流の向きを変更する風向変更部とを備え、前記乾燥処理空間は少なくとも前方に開口し、前記風向変更部は前記噴出口の吹き出し方向の延長上より後方に位置していることを特徴とするハンドドライヤー。
【請求項３】
乾燥処理空間に向かって噴出孔から空気流を吹き出す噴出口と、前記噴出孔の中心軸の延長上ではない位置に固定されて、前記噴出口から吹き出された空気流の向きを変更する風向変更部とを備え、前記乾燥処理空間は少なくとも前方に開口し、前記風向変更部は前記噴出口の噴出孔の中心軸の延長上より後方に位置していることを特徴とするハンドドライヤー。
【請求項４】
前記噴出口は外郭を形成するケーシングに設けられ、前後方向において、前記風向変更部は、前記ケーシングの前側端と後側端との間の１／２の位置より後側に配置されていることを特徴とする請求項１から請求項３のいずれか一つに記載のハンドドライヤー。
【請求項５】
乾燥処理空間に向かって空気流を吹き出す噴出口と、前記噴出口と正対しない位置に固定されて、前記噴出口から吹き出された空気流の向きを変更する風向変更部とを備え、前記噴出口は外郭を形成するケーシングに設けられ、前後方向において、前記風向変更部は、前記ケーシングの前側端と後側端との間の１／２の位置より後側に配置されていることを特徴とするハンドドライヤー。
【請求項６】
乾燥処理空間に向かって空気流を吹き出す噴出口と、前記噴出口の吹き出し方向の延長上ではない位置に固定されて、前記噴出口から吹き出された空気流の向きを変更する風向変更部とを備え、前記噴出口は外郭を形成するケーシングに設けられ、前後方向において、前記風向変更部は、前記ケーシングの前側端と後側端との間の１／２の位置より後側に配置されていることを特徴とするハンドドライヤー。
【請求項７】
乾燥処理空間に向かって噴出孔から空気流を吹き出す噴出口と、前記噴出孔の中心軸の延長上ではない位置に固定されて、前記噴出口から吹き出された空気流の向きを変更する風向変更部とを備え、前記噴出口は外郭を形成するケーシングに設けられ、前後方向において、前記風向変更部は、前記ケーシングの前側端と後側端との間の１／２の位置より後側に配置されていることを特徴とするハンドドライヤー。
【請求項８】
前記ケーシングが前後方向に１００ｍｍ以下であることを特徴とする請求項５から請求項７のいずれか一つに記載のハンドドライヤー。
【請求項９】
奥行サイズが１００ｍｍ以下であることを特徴とする請求項１から請求項８のいずれか一つに記載のハンドドライヤー。
【発明の詳細な説明】
【技術分野】
【０００１】
本願発明は、化粧室、洗面所、手洗い場等での手洗い等において、使用者が手洗い後に水で濡れた手を乾燥させるためのハンドドライヤーに関する。
【背景技術】
【０００２】
従来のハンドドライヤーとして、例えば特許文献１には、乾燥処理空間へ向かって噴出口（吹出口）から乾燥用の空気流を噴出し、乾燥処理空間に挿入された手に空気流を当てて手を乾燥させる壁に設置するハンドドライヤーが記載されている。また、特許文献２には、空気流の噴出口（吐出口）の下方で乾燥処理空間を挟んで反射板を設けたハンドドライヤーが記載されている。
【先行技術文献】
【特許文献】
【０００３】
【特許文献１】実開平５−１５８９６号公報（段落「００１３」、図１）
【特許文献２】特開平９−５６６３９号公報（段落「００１９」、図４）
【発明の概要】
【発明が解決しようとする課題】
【０００４】
従来のハンドドライヤーは、使用者が手を挿入しやすいように、乾燥処理空間が使用者の肩よりも低い位置になるように設置されるので、ハンドドライヤーの前方から乾燥処理空間に挿入された手は、自然に手首より指先の位置が低くなるように傾斜し、壁に向かって斜め下方へ向かう姿勢になる。そのため、特許文献１に記載された従来のハンドドライヤーでは、噴出口から噴出された空気流は手に衝突すると、衝突後の大部分の空気流は、手に沿って指先方向へ進み、ハンドドライヤーが取り付けられている壁に向かって斜め下方へ進む。【０００５】
そして、その空気流が壁に衝突したとすると、壁に沿って下方に流れる空気流と、壁で反射して使用者に向かって斜め下方（前方と下方との間の斜め方向）へ向かう空気流とに分かれる。壁に沿って下方へ流れる空気流は、そのまま床まで達し、床に沿って使用者の足元へ流れる。また、壁で反射して壁から離れ使用者に向かって斜め下方へ進んだ空気流は、使用者の腰付近から足の辺りに向かって流れる。このように、ハンドドライヤーの使用に伴って、使用者の腰付近から足元の辺りに多くの空気流が当たってしまうため、使用者が不快に感じてしまうという問題があった。また、特に冬など、ハンドドライヤーが設置されている環境の気温が低い場合には、冷風感も伴うため更に不快に感じるという問題があった。【０００６】
また、特許文献２に記載された従来のハンドドライヤーでは、噴出口から噴出される空流の方向に反射板があるので、噴出口から噴出される空気流の中で手と衝突しなかった空気流が反射板と直接的に衝突してしまい、その衝突に伴って騒音が発生するという問題があった。【０００７】
この発明は、上述のような課題を解決するためになされたもので、手に衝突した後の空気流が使用者へ向かって流れることを低減するとともに、手に衝突しなかった空気流が直接的に風向変更部と衝突することを低減し、空気流が手以外の体へ当たることによる使用者の不快感の低減と騒音の低減を両立したハンドドライヤーを得ることを目的とする。
【課題を解決するための手段】
【０００８】
この発明に係る請求項１に記載のハンドドライヤーは、乾燥処理空間に向かって空気流を吹き出す噴出口と、噴出口から吹き出された空気流の向きを変更する風向変更部とを備え、噴出口から空気流が吹き出されている間、風向変更部と噴出口とが正対していないものである。【０００９】
この発明に係る請求項２に記載のハンドドライヤーは、乾燥処理空間に向かって空気流を吹き出す噴出口と、噴出口から吹き出された空気流の向きを変更する風向変更部とを備え、噴出口から空気流が吹き出されている間、噴出口の吹き出し方向の延長上に風向変更部が位置しないものである。【００１０】
この発明に係る請求項３に記載のハンドドライヤーは、乾燥処理空間に向かって空気流を吹き出す噴出口と、噴出口から吹き出された空気流の向きを変更する風向変更部とを備え、噴出口から空気流が吹き出されている間、噴出口の噴出孔の中心軸の延長上に風向変更部が位置しないものである。
【発明の効果】
【００１１】
この発明によって、手に衝突した後の空気流が使用者へ向かうことを低減するとともに、手に衝突しなかった空気流が直接的に風向変更部と衝突することを低減し、使用者の不快感の低減と騒音の低減を両立できる。
【図面の簡単な説明】
【００１２】
【図１】この発明の実施の形態１に示すハンドドライヤーの斜視図
【図２】この発明の実施の形態１に示すハンドドライヤーの右側面断面図
【図３】この発明の実施の形態１に示すハンドドライヤーの正面図
【図４】この発明の実施の形態１に示すハンドドライヤーで、図２における噴出口を部分的に拡大した右側面断面図
【図５】使用者がこの発明の実施の形態１に示すハンドドライヤーを使用している状態を示す説明図
【図６】使用者がこの発明の実施の形態１に示すハンドドライヤーを使用している状態を示す説明図
【図７】使用者が従来のハンドドライヤーを使用している状態を示す説明図
【図８】使用者が従来のハンドドライヤーを使用している状態を示す説明図
【図９】この発明の実施の形態１に示すハンドドライヤーの別の実施例を示す右側面図
【図１０】この発明の実施の形態１に示すハンドドライヤーの別の実施例を示す右側面図
【図１１】この発明の実施の形態１に示すハンドドライヤーの別の実施例で、図９における噴出口を部分的に拡大した右側面断面図
【図１２】この発明の実施の形態１に示すハンドドライヤーの別の実施例で、図１０における噴出口を部分的に拡大した右側面断面図
【図１３】この発明の実施の形態１に示すハンドドライヤーの別の実施例を示す正面図
【図１４】この発明の実施の形態１に示すハンドドライヤーの別の実施例を示す正面図
【図１５】この発明の実施の形態２に示すハンドドライヤーの右側面図
【図１６】この発明の実施の形態２に示すハンドドライヤーの斜視図
【発明を実施するための形態】
【００１３】
実施の形態１．
本実施の形態１は、壁に取り付け可能なハンドドライヤーである。図１〜図３はこの発明の実施の形態１に示すハンドドライヤーを示し、図１はハンドドライヤーの外観を示す斜視図、図２は右側面断面図、図３は正面図である。先ず、本実施の形態１で説明する前後方向、左右方向および上下方向について定義する。前後方向については、ハンドドライヤーの正面側（使用者側）を「前」、正面側と反対側を「後」とする。左右方向については、ハンドドライヤーの正面の前方に立った使用者からハンドドライヤーを見て、右側を「右」、左側を「左」とする。上下方向については、上側を「上」、下側を「下」とする。
【００１４】
図１〜図３において、ケーシング１はハンドドライヤーの上側の外郭を形成している。ケーシング１の下方には、前方に乾燥処理空間入口３ａを備えた乾燥処理空間３が設けられている。乾燥処理空間３は、前方および左右の側方が開放され手を自在に挿抜できる空間である。また乾燥処理空間３の奥（後方）には、平面状のパネル４ａがケーシング１の下面１ａに繋がって下面１ａから下方に延出して設けられている。パネル４ａの下端にはパネル４ａに繋がって前方に向かって延出した風向変更部４ｂが設けられている。風向変更部４ｂは板状のピースで構成され、前方になるほど上方に位置するように前方斜め上方（前方と上方との間の斜め方向）へ向かってパネル４ａから延出している。また、風向変更部４ｂは、正面視で見ると、左右方向の中心付近に対して左右方向の外側が両側とも下方に位置するように斜め下方へ傾斜している。乾燥処理空間３はケーシング１の下面１ａとパネル４ａと風向変更部４ｂで囲われ、それ以外の部分が開放した空間となっている。パネル４ａと風向変更部４ｂとは一体で形成されている。
【００１５】
ケーシング１の下面１ａの前方側の端付近には、噴出口１０が設けられ、下面１ａから下方へ突出している。また、ケーシング１の左右の両側面には吸気口８が設けられている。またケーシング１の内部には、吸気口８と噴出口１０を連通する風路５ａおよび風路５ｂが設けられ、その風路５ａと風路５ｂとの間に高圧空気流を発生させる高圧空気流発生装置９が組み込まれている。
【００１６】
噴出口１０は、鉛直方向に沿って下方に向かって開口している。噴出口１０と風向変更部４ｂとの位置関係について説明する。風向変更部４ｂは、噴出口１０の吹き出し方向（高速空気流の吹き出し方向）の延長上の位置よりも前後方向において後方にずれて位置している。つまり、噴出口１０の吹き出し方向を延長した延長線と風向変更部４ｂとが交差せず、噴出口１０の吹き出し方向の延長上の位置に風向変更部４ｂが位置せず、互いにずれている位置関係になっている。ここで、噴出口１０の吹き出し方向とは、噴出口１０から高速空気流を吹き出す方向を意味し、噴出口１０から吹き出された直後の空気流の方向と同等である。
【００１７】
図４は、図２における噴出口１０を部分的に拡大した右側面断面図である。噴出孔１０ａは、噴出口１０から吹き出される空気流が通る狭い通路で、通過する空気流の上流側から下流側（出口）になるほど狭くなっている。内壁１０ｂおよび内壁１０ｃは、噴出口１０の噴出孔１０ａを前後方向かつ上下方向に延びる平面に平行に断面を切った側面断面において、前後方向で対向する噴出孔１０ａの内壁である。図４に示すように、内壁１０ｂと内壁１０ｃとの間を通り、内壁１０ｂおよび内壁１０ｃまでの距離が互いにほぼ等しくなる点を結んで得られる線状の線を中心軸Ａとする。風向変更部４ｂは、噴出孔１０ａの中心軸Ａの延長上の位置よりも前後方向において後方にずれて位置している。
【００１８】
そして、噴出口１０の噴出孔１０ａの出口側の開口端である開口部は風向変更部４ｂとは正対して向かい合わず、前後方向にずれている。そのため、ハンドドライヤーがトイレなどの部屋の壁に取り付けられた状態では、噴出口１０の開口部はその部屋の床面と正対して向かい合っており、噴出口１０の吹き出し方向はその床面に向いている。つまり、高速空気流の吹き出し方向である鉛直方向に沿って投影すると、噴出口１０の開口部の位置と風向変更部４ｂの位置とが重なることがなく、噴出口１０の開口部よりも風向変更部４ｂが後方にずれて位置している。
【００１９】
次にハンドドライヤーが動作したときの空気の流れおよび水滴の流れについて説明する。図５および図６は、使用者が壁に取り付けられた本実施の形態１のハンドドライヤーを使用している状態を示す説明図である。また、図７および図８は、風向変更部４ｂを有しない従来のハンドドライヤーを示し、使用者が壁に取り付けられた従来のハンドドライヤーを使用している状態を示す説明図である。図５および図６に示すように、トイレなどの部屋の壁５０に本実施の形態１のハンドドライヤーが取り付けられている。そして、使用者がハンドドライヤーの前方に立ち、濡れた手を乾燥処理空間入口３ａから乾燥処理空間３の中へ挿入すると、乾燥処理空間３における手の有無を検知する手検知センサー（図示せず）が手を検知する。そして手検知センサー（図示せず）の手検知によって高圧空気流発生装置９が動作し、外部の空気が吸気口８から風路５ａの中へ吸い込まれ、吸い込まれた空気は高圧空気流発生装置９で高圧空気流に変換される。そして、変換された高圧空気流は風路５ｂを通り、噴出口１０で高速空気流に変換され、噴出口１０から６０ｍ／ｓ以上の高速空気流として乾燥処理空間３に向かって鉛直方向に沿って下方へ噴出される。尚、高速空気流の速度の増加にともない噴出口１０から発生する噴流騒音も増加するが、噴流騒音の増加よりも乾燥時間の短縮を最優先する場合には、高速空気流の速度を１００ｍ／ｓ以上、さらに好ましくは１５０ｍ／ｓ以上の速度とするとよい。
【００２０】
ハンドドライヤーは、手を挿入しやすいように乾燥処理空間３が使用者の肩よりも低い位置になるように設置されるので、前方から乾燥処理空間３に挿入された手は、自然に手首より指先の位置が低くなるように傾斜し、後方斜め下方（後方と鉛直下方との間の斜め方向）へ向かう姿勢になっている。そして、噴出口１０から鉛直方向の下方へ吹き出した高速空気流は、後方斜め下方に向かって傾斜して挿入されている手に対して傾斜した角度で衝突することになる。そのため、衝突した高速空気流の大部分は、手に沿って指先方向へ進む空気流、つまり後方斜め下方へ向かう空気流へ変化する。そして、後方斜め下方の方向にはパネル４ａおよび風向変更部４ｂがあり、後方斜め下方へ向かう空気流はパネル４ａおよび風向変更部４ｂに向かって流れる。また、手に付着している水も手に衝突した空気流によって手から剥離されて吹き飛ばされ、後方斜め下方へ向かう空気流によってパネル４ａおよび風向変更部４ｂへ向かって吹き飛ばされる。
【００２１】
パネル４ａに到達した空気流は、パネル４ａとの衝突によって、パネル４ａに沿って下方に流れる空気流と、パネル４ａで反射して前方斜め下方に向かう空気流とに分けられる。パネル４ａに沿って下方に流れる空気流は、風向変更部４ｂに到達し、風向変更部４ｂとの衝突によって左右方向の外側へ向かって二分され、その風向きが左斜め下方および右斜め下方へと変更される。また、パネル４ａで反射してパネル４ａから離れ前方斜め下方に進んだ空気流も、前方に延出した風向変更部４ｂに到達し、風向変更部４ｂとの衝突によって同様にその風向きが左斜め下方および右斜め下方へと変更される。また、挿入された手との衝突により後方斜め下方へ向かう空気流で、パネル４ａではなく風向変更部４ｂへ向かった空気流も、風向変更部４ｂとの衝突によって同様にその風向きが左斜め下方および右斜め下方へと変更される。
【００２２】
一方、手から剥離して吹き飛ばされパネル４ａまたは風向変更部４ｂに到達した水は、パネル４ａまたは風向変更部４ｂの表面を伝わって流下し、更にハンドドライヤーが取り付けられている壁５０を伝わって床５１へ流下する。
【００２３】
噴出口１０は左右方向に細長いスロット状の開口部を有し、噴出口１０から吹き出される高速空気流は左右方向に細長く延びて形成されている。そして噴出口１０から吹き出される高速空気流は、左右方向において、挿入される手の幅に対して十分な幅で形成されているので、挿入される手の幅サイズおよび挿入される手の左右位置に影響されずに、挿入される手に十分に高速空気流が当たるように配慮されている。手に付着している水は、噴出口１０から吹き出される高速空気流によって手から剥離され吹き飛ばされる。そして、噴出口１０から高速空気流が吹き出されているときに、使用者が乾燥処理空間３に挿入している手をゆっくり引き抜くことで、挿入されている手の表面において、噴出口１０からの高速空気流の衝突位置が手首側から指先側へと徐々に移動し、手の全体の水が吹き飛ばされる。
【００２４】
尚、噴出口１０の左右方向の長さは、片手を乾燥させるだけであれば８０ｍｍ以上、両手を同時に乾燥させるのであれば、１５０ｍｍ以上、更に好ましくは２００ｍｍ以上あるとよい。もちろん、噴出口１０が左右方向に複数に分割されている場合は、複数に分割された噴出口１０を一つにまとめて考え、その全体の左右の長さと考える。また、噴出口１０のスロット幅は高速空気流を得るために２ｍｍ以下が好ましい。
【００２５】
一方、噴出口１０から吹き出される高速空気流において、挿入されている手に衝突しなかった高速空気流は、手と衝突しないのでその風向きが変更されず風速減衰も少なく、そのまま鉛直方向の下方へ進む。そして、その進行方向には風向変更部４ｂが無いので、風向変更部４ｂに衝突することなく風向変更部４ｂの近くを通り過ぎ、そのまま床５１に向かって鉛直方向の下方へ流れる。
【００２６】
比較として、風向変更部４ｂを備えない従来のハンドドライヤーを使用者が使用した場合の空気流の流れについて説明する。図７および図８に示すように、手との衝突によって後方斜め下方へ向かう空気流に変更され壁５０へ向かった空気流は、壁５０に到達し、壁５０との衝突によって壁５０に沿って下方に流れる空気流と、壁５０で反射して前方斜め下方に向かう空気流とに分けられる。壁５０に沿って下方に流れる空気流は、そのまま床５１まで達し、床５１に沿って使用者の足元へ流れる。また、壁５０で反射して壁５０から離れ前方斜め下方に進んだ空気流は、使用者の腰付近から足の辺りに向かって流れる。
【００２７】
以上の構成のハンドドライヤーによれば、風向変更部４ｂは、噴出口１０の吹き出し方向（高速空気流の吹き出し方向）の延長上の位置よりも前後方向において後方にずれて位置している。そして、噴出口１０の吹き出し方向を延長した延長線と風向変更部４ｂとが交差せず、風向変更部４ｂが噴出口１０の吹き出し方向の延長上の位置に位置せず、後方にずれて位置している。そして、風向変更部４ｂが、噴出孔１０ａの中心軸Ａの延長上の位置よりも前後方向において後方にずれて位置している。そして、噴出口１０の噴出孔１０ａの出口側の開口端である開口部は、風向変更部４ｂとは正対して向かい合わず、前後方向にずれている。
【００２８】
そのため、噴出口１０から吹き出された高速空気流において、挿入されている手に衝突せず風向きが変わらなかった高速空気流（例えば挿入されている手の位置よりも左右方向の外側に位置する高速空気流）の進行方向上に風向変更部４ｂが位置していないので、手と衝突しなかった高速空気流は風向変更部４ｂにもほとんど衝突することなくそのまま風向変更部４ｂの前方近くを通過する。このように、噴出口１０から吹き出される高速空気流において手に衝突しなかった高速空気流が直接的に風向変更部４ｂと衝突しないので、高速空気流と風向変更部４ｂとの衝突よって発生する騒音を抑えることができ、ハンドドライヤーを使用するときの騒音を低減することができる。特に手と衝突せず風向きが変わらなかった高速空気流は、衝突による風速減衰がなく高速の状態を維持しているので、風向変更部４ｂと衝突してしまうと顕著に騒音が発生してしまうが、風向変更部４ｂとの直接的な衝突を避けることで効果的に騒音を低減できる。
【００２９】
一方、噴出口１０から鉛直方向の下方に吹き出された高速空気流において、挿入されている手と衝突した高速空気流は、その衝突によって風向きが変更され、手に沿って指先方向へ進む後方斜め下方へ向かう空気流に変化し、パネル４ａおよび風向変更部４ｂへ向かう。そして、パネル４ａおよび風向変更部４ｂへ向かった空気流は、どちらも風向変更部４ｂへ到達し、風向変更部４ｂとの衝突によってその風向きが左斜め下方および右斜め下方へと変更される。そしてこれらの空気流はそのまま壁を伝って左斜め下方または右斜め下方へ進み、床に沿って使用者が立っている前方へ流れる。しかし、これらの空気流は、使用者に対して左右方向の外側へ向かって分けられているので、使用者の正面には到達せず使用者の横を通り抜ける。そのため、空気流が使用者の足には当たらないので、特に冬などハンドドライヤーが設置される環境の気温が低い場合の使用者の足元の冷風感を低減できる。
【００３０】
また、パネル４ａで反射してパネル４ａから離れ前方斜め下方に進んだ空気流も、前方に延出した風向変更部４ｂに衝突して同様にその風向きが左斜め下方および右斜め下方へと変更されるので、パネル４ａで反射してパネル４ａから離れ前方斜め下方に進んだ空気流がそのまま直進して使用者の腰から足の辺りに当たってしまうことを低減でき、使用者の不快感もしくは冷風感を低減することができる。
【００３１】
更に、風向変更部４ｂは前方になるほど上方になるように前方斜め上方に向かって延出しているので、風向変更部４ｂに衝突した空気流の前方へ向かう速度成分を効果的に低減でき、効果的に使用者の不快感もしくは冷風感を低減することができる。
【００３２】
このように、風向変更部４ｂは、手と衝突して風向きが変更された空気流（使用者の下半身などに当たる可能性のある空気流）を受けて使用者を避けうるようにその風向きを変え、噴出口から吹き出された後どこにも衝突していない高速空気流を直接的にほとんど受けないという大まかな選択性をもたせることができ、風向変更部４ｂによって使用者への風当たりの低減と騒音の低減を両立することができる。
【００３３】
また、ハンドドライヤーでは、乾燥処理空間３から手が抜かれると手検知センサー（図示せず）によって高圧空気流発生装置９が停止され、噴出口１０からの高速空気流の吹き出しが停止される。指先まで確実に乾燥させるために、挿入された手の指先まで確実に高速空気流を当てて後に高速空気流を停止させる必要があるが、手検知センサー（図示せず）で指先の位置を正確に検知することは難しい。そこで、一般的に手検知センサー（図示せず）によって乾燥処理空間３から手が抜かれたと検知した後も、０．５〜２秒程度の時間はそのまま高速空気流の吹き出しを継続させ、その後、高速空気流の吹き出しを停止させるという遅延動作を設けることで、指先まで確実に高速空気流を当ててから高速空気流の吹き出しを止めている。
【００３４】
このような遅延動作では、手が乾燥処理空間３から抜かれた後、手が乾燥処理空間３へ挿入されていない状態で噴出口１０から高速空気流が吹き出し続ける状態が生じてしまい、使用者が乾燥処理を完了した後も、少しの間、ハンドドライヤーの運転に伴う騒音が継続することになる。使用者にとっては、自身の動作に伴う乾燥処理時の騒音は許容しやすいが、乾燥完了後の騒音は使用者の乾燥処理とは直接関係ないので、騒音発生が０．５〜２秒程度の短い時間であっても許容し難く、非常に不快と感じる。しかし、本願発明では、上述した遅延動作を設け、手が乾燥処理空間３へ挿入されていない状態で噴出口１０から高速空気流が吹き出される状態が生じても、高速空気流が直接に風向変更部４ｂと衝突しないので、使用者にとって乾燥処理に直接関係のない不快な騒音を低減することができる。
【００３５】
尚、本実施の形態１では、噴出口１０の高速空気流の吹き出し方向が、鉛直方向に沿って下方に向いたものを示したが、噴出口１０の高速空気流の吹き出し方向はこれに限定されるものではなく、下方であれば前後左右のいずれかに傾斜した角度であってもよい。例えば、図９および図１０は、本実施の形態１のハンドドライヤーで、噴出口１０の高速空気流の吹き出し方向の別の実施例を示す右側面図である。図１１は、図９における噴出口１０を部分的に拡大した右側面断面図である。図１２は、図１０における噴出口１０を部分的に拡大した右側面断面図である。図９および図１１では、噴出口１０の吹き出し方向が、鉛直方向に対して前方斜め下方（前方と下方との間の斜め方向）へ向き、図１０および図１２では、噴出口１０の吹き出し方向が、鉛直方向に対して後方斜め下方（後方と下方との間の斜め方向）へ向いている。
【００３６】
図９、図１０、図１１および図１２に示すハンドドライヤーでは、上述した効果があるとともに、更に、図９および図１１では、噴出口１０の吹き出し方向が、鉛直方向に対して前方斜め下方（前方と鉛直下方との間の斜め方向）へ向いているので、ハンドドライヤーの前後方向のサイズよりも乾燥処理空間３の前後方向のサイズを大きくすることができる。そのため、挿入される手に対して乾燥処理空間３の前後方向のサイズを十分確保したまま、ハンドドライヤーの前後方向のサイズを小さくすることができる。また前後方向において、風向変更部４ｂの前側端の位置が噴出口１０の位置と同等かそれ以上に前方に位置させても、噴出口１０が風向変更部４ｂと向き合わないので、いっそう使用者への風当たりを防止することができる。
【００３７】
一方、図１０および図１２のハンドドライヤーでは、使用者への風の跳ね返りを低減できる。
【００３８】
また、本実施の形態１では、前後方向において、ケーシング１の下面１ａの前側端と後側端との間の距離Ｌ１、風向変更部４ｂの前側端とケーシング１の下面１ａの後側端との間の距離Ｌ２とし、Ｌ２＞１／２×Ｌ１を満足するように距離Ｌ１の１／２の位置より前側に風向変更部４ｂを配置した例を示したが、図１０に示すように、噴出口１０の吹き出し方向を更に斜め後方側へ角度をつけ、Ｌ２≦１／２×Ｌ１を満足させ、ケーシング１の下面１ａの前側端と後側端との間の距離Ｌ１の１／２の位置より後側に風向変更部４ｂを配置すれば、風向変更部４ｂの前方への突出長さは更に短くなる。そのため、使用者が手を乾燥処理空間３へ挿入した場合、使用者からの目視では、ケーシング１によって風向変更部４ｂが見え難くなるため、乾燥処理空間３を広く感じることで更に乾燥処理空間３への手挿入時の心理的な圧迫感も低減できる。
【００３９】
また、本実施の形態１では、風向変更部４ｂの形状について、正面視で風向変更部４ｂはほぼ左右対称形状で、風向変更部４ｂの左右方向の外側が中心付近に対して両側とも下方に位置するように斜め下方へ傾斜している形状を示したが、風向変更部４ｂの形状はこれに限定されるものではない。図１３および図１４は、本実施の形態１のハンドドライヤーの風向変更部４ｂの別の実施例を示す正面図である。図１３に示すように、左右方向の一方側が他方側より低くなるように全体的に一方向に傾斜させてもよい。また図１４に示すように、デザインおよび製造コストを優先し、正面視で見て左右方向に傾斜のなく、左右方向において水平にする場合も考えられる。この場合には、風向変更部４ｂを傾斜させた場合に比べ、空気流を左右方向へ分ける効果は減少してしまうが、それでもある程度は左右方向に向かうとともに、風向変更部４ｂとの衝突で空気流の風速自体を遅くすることができるので、同様に使用者へ向かう空気流を低減することができる。尚、実施の形態１では、風向変更部４ｂの左右方向の傾斜形状は平面を傾けて形成し例を示したが、曲面で形成してもよい。
【００４０】
また、本実施の形態１では、パネル４ａは、左右方向においてケーシング１とほぼ同じ幅サイズの平面形状である例を示したが、ケーシング１と風向変更部４ｂとを連結できれば、その形状には限定されない。したがって、パネル４ａはケーシング１より左右方向の幅が小さくてもよく、平面でなく曲面形状でもよく、面状ではなく細長いポール等で構成してもよい。
【００４１】
また同様に、風向変更部４ｂは、板状の平面状のピースから構成した例を示したが、板状の厚みが均一でなく変化していてもよく、また平面を組み合わせなくても曲面形状でもよく、特に限定されない。
【００４２】
更に、パネル４ａおよび風向変更部４ｂの材質は、金属、樹脂、その他でもよく、特に限定されない。
【００４３】
ところで、壁にハンドドライヤーを取り付ける場合、前後方向の奥行サイズが１００ｍｍ以下のハンドドライヤーであれば、Ａｍｅｒｉｃａｎｓ  ｗｉｔｈ  Ｄｉｓａｂｌｉｔｉｅｓ  Ａｃｔ１９９０（ＡＤＡ）に準拠することができ、ハンドドライヤーを壁に埋め込む必要もない。しかし、ハンドドライヤーの奥行サイズを１００ｍｍ以下とすると、衝突後の手に沿って指先方向へ進む後方斜め下方へ向かう空気流の勢いが衰えないままパネル４ａに衝突するので、パネル４ａで反射して前方斜め下方に向かう空気流の勢いも強いまま使用者に当たってしまう。つまり、ハンドドライヤーの奥行サイズが小さく壁に近ければ近いほど使用者への風当たりが強くなってしまう。したがって、実施の形態１の発明は、ハンドドライヤーの奥行サイズが小さいほど、使用者への風当りの防止効果が顕著になり、ハンドドライヤーの奥行サイズが１００ｍｍ以下の場合で本実施の形態１を実施することがいっそう好ましく、更に大きな効果を得ることができる。
【００４４】
実施の形態２．
本実施の形態２は、壁に取り付け可能なハンドドライヤーである。図１５および図１６は、この発明の実施の形態２に示すハンドドライヤーを壁５０に取り付けた状態を示すもので、図１５は右側面図、図１６は斜視図である。図１５および図１６において、ケーシング１には、実施の形態１と同様に、吸気口８、風路５ａ、風路５ｂ、高圧空気流発生装置９および噴出口１０が備えられているが、ここではケーシング１の内部に設けられている風路５ａ、風路５ｂおよび高圧空気流発生装置９の図示を省略している。ケーシング１、吸気口８、風路５ａ、風路５ｂ、高圧空気流発生装置９および噴出口１０をまとめて一つの送風機能を有したユニットとして送風部１００とする。本実施の形態２では、ケーシング１と風向変更部４ｂとは互いに独立している。つまり送風部１００と風向変更部４ｂとは互いに独立している。したがって、ハンドドライヤーを取り付ける壁５０に、送風部１００と、送風部１００の下方に風向変更部４ｂが配置されるようにそれぞれ壁５０に取り付けられる。実施の形態１に対し、送風部１００と風向変更部４ｂが互いに独立し、パネル４ａが無い点が相違するのみであり、それ以外の構成は実施の形態１と同一である。
【００４５】
以上の構成のハンドドライヤーによれば、実施の形態１と同様の効果があるとともに、ハンドドライヤーを取り付ける環境および使用者に応じて風向変更部４ｂの位置を調整して設置することができる。
【００４６】
尚、実施の形態２ではパネル４ａを備えない例を示したが、風向変更部４ｂと一体にしてパネル４ａを備えてもよい。
【００４７】
尚、図２および図４〜図１２および図１５の図中に記載した矢印は、空気流の方向を示している（但し、図２の前後方向を示す矢印および図１０のＬ１およびＬ２の寸法を表す矢印は除く）。
【符号の説明】
【００４８】
１  ケーシング、１ａ  下面、３  乾燥処理空間、３ａ  乾燥処理空間入口、４ａ  パネル、４ｂ  風向変更部、５ａ，５ｂ  風路、８  吸気口、９  高圧空気流発生装置、１０  噴出口、１０ａ  噴出孔、１０ｂ，１０ｃ  内壁、５０  壁、５１  床、１００  送風部。
【図１】
0006501872.tif 000002
【図２】
0006501872.tif 000003
【図３】
0006501872.tif 000004
【図４】
0006501872.tif 000005
【図５】
0006501872.tif 000006
【図６】
0006501872.tif 000007
【図７】
0006501872.tif 000008
【図８】
0006501872.tif 000009
【図９】
0006501872.tif 000010
【図１０】
0006501872.tif 000011
【図１１】
0006501872.tif 000012
【図１２】
0006501872.tif 000013
【図１３】
0006501872.tif 000014
【図１４】
0006501872.tif 000015
【図１５】
0006501872.tif 000016
【図１６】
0006501872.tif 000017